(57)【要約】【課題】明残像を抑制することができるプラズマディスプレイ装置及びプラズマディスプレイ装置の駆動方法を提供することにある。【解決手段】本発明は、APL値、表示面積またはサステインパルスの個数のような映像信号のロードによって、電極に印加されるサステインパルスの上昇時間を調節することを特徴とする。  本発明のプラズマディスプレイ装置及び駆動方法はロードによってサステインパルスの上昇時間を調節して明残像を抑制して画質を改善させる。【選択図】図８
2006113585.tif 000002
【特許請求の範囲】
【請求項１】
映像信号の入力を受けてロードを計算するロード計算部と、
前記ロードによってサステインパルスの上昇時間を調節する上昇時間調節部と、
を含むことを特徴とするプラズマディスプレイ装置。
【請求項２】
前記ロード計算部は、前記映像信号の入力を受けてＡＰＬ値を計算し、
前記上昇時間調節部は、前記ＡＰＬ値が小さいほど前記サステインパルスの上昇時間を大きくすることを特徴とする、
請求項１記載のプラズマディスプレイ装置。
【請求項３】
前記上昇時間調節部は、前記サステインパルスの最小上昇時間を２００ｎｓで設定し、前記サステインパルスの最大上昇時間を６００ｎｓで設定することを特徴とする、
請求項２記載のプラズマディスプレイ装置。
【請求項４】
前記ロード計算部は、前記映像信号を入力受けて表示面積を計算して、
前記上昇時間調節部は、前記表示面積が小さいほど前記サステインパルスの上昇時間を大きくすることを特徴とする、
請求項１記載のプラズマディスプレイ装置。
【請求項５】
前記ロード計算部は、前記映像信号の入力を受けてＡＰＬ値を計算して前記ＡＰＬ値によってサステインパルスの個数を割り当てして、
前記上昇時間調節部は、前記割り当てされたサステインパルスの個数が大きいほど前記サステインパルスの上昇時間を大きくすることを特徴とする、
請求項１記載のプラズマディスプレイ装置。
【請求項６】
映像信号を入力受けて前記映像信号のロードを計算する段階と、
前記映像信号のロードによってサステインパルスの上昇時間を決める段階と、
を含むプラズマディスプレイ装置の駆動方法。
【請求項７】
前記映像信号のロード計算は前記映像信号のＡＰＬ値を計算することで、
前記ＡＰＬ値によって前記サステインパルスの上昇時間を決めることを特徴とする、 請求項６記載のプラズマディスプレイ装置の駆動方法。
【請求項８】
前記ＡＰＬ値が小さいほど前記サステインパルスの上昇時間を大きくすることを特徴とする、請求項７記載のプラズマディスプレイ装置の駆動方法。
【請求項９】
前記映像信号のロード計算は、前記映像信号の表示面積を計算することで、前記表示面積によって前記サステインパルスの上昇時間を決めることを特徴とする、
請求項６記載のプラズマディスプレイ装置の駆動方法。
【請求項１０】
前記表示面積が小さいほど前記サステインパルスの上昇時間を大きくすることを特徴とする、請求項９記載のプラズマディスプレイ装置の駆動方法。
【請求項１１】
前記映像信号のロード計算は、前記映像信号のＡＰＬ値によってサステインパルスの個数を割り当てすることで、前記サステインパルスの個数によって前記サステインパルスの上昇時間を決めることを特徴とする、請求項６記載のプラズマディスプレイ装置の駆動方法。
【請求項１２】
前記割り当てされたサステインパルスの個数が大きいほど前記サステインパルスの上昇時間を大きくすることを特徴とする、請求項１１記載のプラズマディスプレイ装置の駆動方法。
【請求項１３】
前記映像信号にあたるサブフィールドをマッピングした後、各サブフィールドのサステインパルスの個数を割り当て、各サブフィールドに割り当てされたサステインパルスの個数によって複数個のサブフィールドの中で少なくとも一つのサブフィールドに割り当てされたサステインパルスの上昇時間を調節することを特徴とする、請求項６記載のプラズマディスプレイ装置の駆動方法。
【請求項１４】
加重値が大きいサブフィールドに割り当てされたサステインパルスの上昇時間を大きくすることを特徴とする、請求項１３記載のプラズマディスプレイ装置の駆動方法。
【請求項１５】
加重値が最大のサブフィールドに割り当てされたサステインパルスの上昇時間を大きくすることを特徴とする、請求項１４記載のプラズマディスプレイ装置の駆動方法。
【請求項１６】
映像信号を入力受けて階調にあたるサブフィールドをマッピングするサブフィールドマッピング部と、
前記サブフィールドマッピング部からマッピングされたサブフィールドに対する情報の入力を受けて、各サブフィールドのサステインパルスの個数を割り当てるロード計算部と、
各サブフィールドに割り当てされたサステインパルスの個数によって複数個のサブフィールド中で少なくとも一つのサブフィールドに割り当てされたサステインパルスの上昇時間を調節する上昇時間調節部と、
を含むことを特徴とするプラズマディスプレイ装置。
【請求項１７】
前記上昇時間調節部は、加重値が大きいサブフィールドに割り当てされたサステインパルスの上昇時間を大きくすることを特徴とする、
請求項１６記載のプラズマディスプレイ装置。
【請求項１８】
前記上昇時間調節部は、加重値が最大のサブフィールドに割り当てされたサステインパルスの上昇時間を大きくすることを特徴とする、
請求項１７記載のでプラズマディスプレイ装置。
【発明の詳細な説明】
【技術分野】
【０００１】
本発明は、プラズマディスプレイ装置及びプラズマディスプレイ装置の駆動方法に関し、 より詳くは、サステインパルスを生成するプラズマディスプレイ装置及びプラズマディスプレイ装置の駆動方法に関する。
【背景技術】
【０００２】
一般的に、プラズマディスプレイパネルはソーダライム（Ｓｏｄａ−ｌｉｍｅ）ガラスからなる前面基板と背面基板とからなる。前面基板と背面基板との間に形成された隔壁は、放電セルを区画する。放電セル内部に注入されたヘリウム-キセノン（Ｈｅ−Ｘｅ）、 ヘリウム-ネオン（Ｈｅ−Ｎｅ）などのような不活性ガスは、高周波電圧によって放電を起こす。放電が起きる時、真空紫外線（Ｖａｃｕｕｍ Ｕｌｔｒａｖｉｏｌｅｔ ｒａｙｓ）が発生して、真空紫外線が、隔壁の間に形成された蛍光体を発光させることで画像が具現される。
【０００３】
図１は、従来プラズマディスプレイパネルの構造を概略的に示す斜視図である。
【０００４】
図１に示すのように従来のプラズマディスプレイパネルは前面パネルと背面パネルとからなる。前面パネルは前面ガラス基板１０を含み、背面パネルは背面ガラス基板２０を含む。前面パネルと背面パネルは一定距離を間に置いて平行に結合される。
【０００５】
前面ガラス基板１０上には、相互放電によってセルの発光を維持するための維持電極対（１１、１２）が形成される。維持電極対は、スキャン電極１１とサステイン電極１２とからなる。スキャン電極１１とサステイン電極１２それぞれは、透明なＩＴＯ物質で形成された透明電極(１１ａ、１２ａ)と、金属材質に製作されたバス電極(１１ｂ、１２ｂ)とからなる。スキャン電極１１は、パネルスキャンのためのスキャン信号と、放電維持のための維持信号との入力を受ける。サステイン電極１２は、主に維持信号の入力を受ける。誘電体層１３ａは、維持電極対(１１、１２)の上部に形成されて放電電流を制限して電極対の間を絶縁させる。保護層１４は、誘電体層１３ａ上面に形成されて、放電条件を容易くするために例えば酸化マグネシウム（ＭｇＯ）からなる。
【０００６】
背面ガラス基板２０上には、維持電極対(１１、１２)と交差されるようにアドレス電極２２が配置される。誘電体層１３ｂは、アドレス電極２２の上部に形成されてアドレス電極２２の間を絶縁させる。隔壁２１は、誘電体層１３ｂ上に形成されて放電セルを区画するＲ、Ｇ、Ｂ蛍光層２３は、隔壁２１と隔壁２１との間に塗布されて画像表示のための可視光線を放出する。
【０００７】
前面ガラス基板１０と背面ガラス基板２０とは、シーリング材（ｓｅａｌｉｎｇ ｍａｔｅｒｉａｌ）によって合着される。ヘリウム（Ｈｅ）、ネオン（Ｎｅ）、キセノン（Ｘｅ）などのような不活性ガスは、排気工程が遂行された後にプラズマディスプレイパネル内部に注入される。
【０００８】
このような構造を持つ従来プラズマディスプレイパネルの画像階調を表現する方法をよく見れば次の図２のようである。
【０００９】
図２は、従来プラズマディスプレイ装置の画像階調を表現する方法を示す。プラズマディスプレイ装置は、一フレームを発光回数が異なる複数のサブフィールドで分けて階調を表現する。各サブフィールドは、放電を均一に起こすためのリセット期間、放電セルを選択するためのアドレス期間及び放電回数によって階調を具現するサステイン期間で分けられる。例えば、２５６階調で画像を表示しようとする場合に１／６０秒にあたるフレーム期間（１６．６７ｍｓ）は、８個のサブフィールドで分けられる。同時に、８個のサブフィールドそれぞれは、アドレス期間とサステイン期間にさらに分けられる。ここで、各サブフィールドのリセット期間及びアドレス期間は、各サブフィールドごとに等しい一方、サステイン期間は各サブフィールドで２ｎ（ｎ＝０、１、２、３、４、５、６、７）の割合で増加される。
【００１０】
図３は、従来プラズマディスプレイ装置の駆動方法を示す。従来のプラズマディスプレイ装置は、全画面を初期化させるための初期化期間、セルを選択するためのアドレス期間及び選択されたセルの放電を維持させるためのサステイン期間に分けられて駆動される。
【００１１】
初期化期間のセットアップ期間（ＳＵ）には、すべてのスキャン電極（Ｙ）に上昇ランプ波形（Ｒａｍｐ−ｕｐ)が同時に印加される。この上昇ランプ波形によって全画面のセル内には放電が起きる。このセットアップ放電によってアドレス電極（Ｘ）とサステイン電極（Ｚ）上には正極性壁電荷が積もるようになり、スキャン電極（Ｙ）上には負極性の壁電荷が積もるようになる。
【００１２】
セットダウン期間ＳＤには、下降ランプ波形（Ｒａｍｐ−ｄｏｗｎ）がセル内に微弱な消去放電を起こすことで、過度に形成された壁電荷を一部消去させる。このセットダウン放電によって、アドレス放電が安定するように起きることができるほどの壁電荷がセル内に均一に残る。
【００１３】
アドレス期間には、負極性スキャンパルスがスキャン電極（Ｙ）に順に印加されることと同時に、スキャンパルスに同期されてアドレス電極（Ｘ)に正極性のデータパルス（ｄａｔａ）が印加される。このスキャンパルスとデータパルスとの電圧差と、初期化期間に生成された壁電圧とが加わりながら、データパルスが印加されるセル内にはアドレス放電が発生される。アドレス放電によって選択されたセル内には、サステイン電圧が印加される時に放電が起きることができるようにする程度の壁電荷が形成される。サステイン電極（Ｚ）には、セッダウン期間とアドレス期間の間にスキャン電極（Ｙ）との電圧の差を減らしてスキャン電極（Ｙ）との誤放電が起きないように正極性直流電圧(Ｚｄｃ)が供給される。
【００１４】
サステイン期間には、スキャン電極（Ｙ）とサステイン電極（Ｚ）に交番的にサステインパルス（Ｓｕｓ）が印加される。アドレス放電によって選択されたセルでは、セル内の壁電圧とサステインパルスとが加わりながら、毎サステインパルスが印加されることにスキャン電極（Ｙ）とサステイン電極（Ｚ）との間にサステイン放電が起きる。
【００１５】
サステイン放電が完了した後には、パルス幅と電圧レベルが小さなランプ波形（ｅｒａｓｅ）がサステイン電極（Ｚ）に供給されて、全画面のセル内に残留する壁電荷を消去させる。
【００１６】
図４は、従来のプラズマディスプレイ装置で発生される局所残像の発生を説明するための図面である。
【００１７】
図４に示すように、特定階調にあたる第１ウィンドウパターンが従来のプラズマディスプレイ装置の画面中央部分２００ａに表示される場合、すなわち、ＡＰＬ（Ａｖｅｒａｇｅ  Ｐｉｃｔｕｒｅ  Ｌｅｖｅｌ）値が小さい場合、従来のプラズマディスプレイ装置は割り当てされるサステインパルスの個数を増加させて所定のウィンドウパターンの輝度を増加させる。これによって、従来のプラズマディスプレイ装置は、コントラスト特性を進める。次いで、前記特定階調にあたる第２ウィンドウパターンが従来のプラズマディスプレイ装置の表示面２００全体２００ｂに表示される場合、すなわち、ＡＰＬ値が大きくなる場合、従来のプラズマディスプレイ装置は、割り当てされるサステインパルスの個数を減少させて表示面２００全体２００ｂの輝度を落とす。これによって、従来のプラズマディスプレイ装置は消費電力を減少させる。この時、表示面２００の一部分２００ａに表示された第１ウィンドウパターンが残像２００ｃで現われる。このような局所明残像２００ｃは、放電の時、蛍光体の発光效率が蛍光体の分布領域によって異なるから現われる。
【００１８】
すなわち、隔壁と隔壁との間に存在する蛍光体は、隔壁の側面に存在する側壁蛍光体と、隔壁と隔壁との間の誘電体上部に存在する下部蛍光体と、からなる。この時、側壁蛍光体と下部蛍光体それぞれの輝度幅及び復帰時間は、初期エイジングの程度によって決まる。この時、輝度幅は、蛍光体の最大発光から最小発光までの輝度差を意味し、復帰時間は、蛍光体の最大発光から最小発光に復帰する時間を意味する。すなわち、初期エイジングは面放電によって発生するので、側壁蛍光体の劣化程度が、下部蛍光体の劣化程度より大きい。したがって、側壁蛍光体の輝度幅と復帰時間が、下部蛍光体の輝度幅及び復帰時間より小さい。
【００１９】
このように側壁蛍光体の輝度幅及び復帰時間が、下部蛍光体の輝度幅及び復帰時間より小さいため、に最大輝度のウィンドウパターンが表示された後に、画面全体で放電が起きれば、画面中央部分２００ａの放電セルの側壁蛍光体輝度幅及び復帰時間と、下部蛍光体の輝度幅及び復帰時間との不一致によって明残像が発生する。
【発明の開示】
【発明が解決しようとする課題】
【００２０】
本発明の目的は、明残像を抑制することができるプラズマディスプレイ装置及びプラズマディスプレイ装置の駆動方法を提供することにある。
【課題を解決するための手段】
【００２１】
本発明のプラズマディスプレイ装置は映像信号を入力受けてロードを計算するロード計算部と前記ロードによってサステインパルスの上昇時間を調節する上昇時間調節部を含む。
【００２２】
本発明のプラズマディスプレイ装置の駆動方法は映像信号を入力受けて前記映像信号のロードを計算する段階と前記映像信号のロードによってサステインパルスの上昇時間を決める段階を含む。
【００２３】
本発明のプラズマディスプレイ装置は映像信号を入力受けて階調にあたるサブフィールドをマッピングするサブフィールドマッピング部と、前記サブフィールドマッピング部からマッピングされたサブフィールドに対する情報を入力受けて各サブフィールドのサステインパルスの個数を割り当てするロード計算部と、各サブフィールドに割り当てされたサステインパルスの個数によって複数個のサブフィールドの中で少なくとも一つのサブフィールドに割り当てされたサステインパルスの上昇時間を調節する上昇時間調節部を含む。
【００２４】
前記ロード計算部は、 前記映像信号を入力受けてＡＰＬ値を計算して、前記上昇時間調節部は、 前記ＡＰＬ値が小さいほど前記サステインパルスの上昇時間を大きくすることを特徴とする。
【００２５】
前記上昇時間調節部は、 前記サステインパルスの最小上昇時間を２００ｎｓで設定して前記サステインパルスの最大上昇時間を６００ｎｓで設定することを特徴とする。
【００２６】
前記ロード計算部は、前記映像信号を入力受けて表示面積を計算して、 前記上昇時間調節部は、 前記表示面積が小さいほど前記サステインパルスの上昇時間を大きくすることを特徴とする。
【００２７】
前記ロード計算部は、 前記映像信号を入力受けてＡＰＬ値を計算して前記ＡＰＬ値によってサステインパルスの個数を割り当てして、前記上昇時間調節部は、前記割り当てされたサステインパルスの個数が大きいほど前記サステインパルスの上昇時間を大きくすることを特徴とする。
【００２８】
本発明のプラズマディスプレイ装置の駆動方法は映像信号を入力受けて前記映像信号のロードを計算する段階と、前記映像信号のロードによってサステインパルスの上昇時間を決める段階を含む。
【００２９】
前記映像信号のロード計算は、前記映像信号のＡＰＬ値を計算することで、
前記ＡＰＬ値によって前記サステインパルスの上昇時間を決めることを特徴とする。
【００３０】
前記ＡＰＬ値が小さいほど前記サステインパルスの上昇時間を大きくすることを特徴とする。
【００３１】
前記映像信号のロード計算は前記映像信号の表示面積を計算することで、前記表示面積によって前記サステインパルスの上昇時間を決めることを特徴とする。
【００３２】
前記表示面積が小さいほど前記サステインパルスの上昇時間を大きくすることを特徴とする。
【００３３】
前記映像信号のロード計算は、前記映像信号のＡＰＬ値によってサステイ パルスの個数を割り当てすることで、前記サステインパルスの個数によって前記サステインパルスの上昇時間を決めることを特徴とする。
【００３４】
前記割り当てされたサステインパルスの個数が大きいほど前記サステインパルスの上昇時間を大きくすることを特徴とする。
【００３５】
前記映像信号にあたるサブフィールドをマッピングした後各サブフィールドのサステインパルスの個数を割り当てして、各サブフィールドに割り当てされたサステインパルスの個数によって複数個のサブフィールドの中で少なくとも一つのサブフィールドに割り当てされたサステインパルスの上昇時間を調節することを特徴とする。
【００３６】
加重値が大きいサブフィールドに割り当てされたサステインパルスの上昇時間を大きくすることを特徴とする。
【００３７】
加重値が最大のサブフィールドに割り当てされたサステインパルスの上昇時間を大きくすることを特徴とする。
【００３８】
本発明のプラズマディスプレイ装置は映像信号を入力受けて階調にあたるサブフィールドをマッピングするサブフィールドマッピング部と、前記サブフィールドマッピング部からマッピングされたサブフィールドに対する情報を入力受けて各サブフィールドのサステインパルスの個数を割り当てするロード計算部と、各サブフィールドに割り当てされたサステインパルスの個数によって複数個のサブフィールドの中で少なくとも一つのサブフィールドに割り当てされたサステインパルスの上昇時間を調節する上昇時間調節部を含む。
【００３９】
前記上昇時間調節部は、加重値が大きいサブフィールドに割り当てされたサステインパルスの上昇時間を大きくすることを特徴とする。
【００４０】
前記上昇時間調節部は、加重値が最大のサブフィールドに割り当てされたサステインパルスの上昇時間を大きくすることを特徴とする。
【発明の効果】
【００４１】
本発明のプラズマディスプレイ装置及び駆動方法はロードによってサステインパルスの上昇時間を調節して明残像を抑制して画質を改善させる。
【発明を実施するための最良の形態】
【００４２】
以下、本発明による具体的な実施形態を添付された図面を参照して説明する。
【００４３】
本発明によるプラズマディスプレイ装置及びプラズマディスプレイ方法は、映像信号のロード（ｌｏａｄ）によって、サステインパルスのＥＲ−ｕｐタイムを調節する。この時、ロードは、ＡＰＬ値、映像が表示される面積及びサステインパルスの割り当て個数などのようなのである。この時、ＡＰＬ値が大きければ映像が表示される面積は大きくてサステインパルスの割り当て個数は小くなる。また、ＡＰＬ値が小さければ、映像が表示される面積は小くなって、サステインパルスの割り当て個数は大きくなる。
【００４４】
先ず、サステインパルスのＥＲ−ｕｐタイムと蛍光体の劣化の程度に対する関係を説明する。
【００４５】
図５は、サステインパルスのＥＲ（Ｅｎｅｒｇｙ  Ｒｅｃｏｖｅｒｙ）−ｕｐタイムを説明するための図面である。
【００４６】
図５のサステインパルスは、図３のサステイン期間において、スキャン電極（Ｙ）とサステイン電極（Ｚ）に交番的に印加される。サステインパルスのＥＲ−ｕｐタイムは、サステインパルスの最小レベル(０Ｖ)から最大レベル(Ｖｓ：サステイン電圧)まで上昇するのにかかる時間を意味する。したがって、本発明は、ＡＰＬ値によってサステインパルスの最小レベルから最大レベルまで上昇するのにかかる時間、すなわちサステインパルスのＥＲ−ｕｐタイム(以下、サステインパルスの上昇時間とする)を調節する。
【００４７】
図６は、サステインパルスの上昇時間と蛍光体の劣化程度を説明するための図面である。
【００４８】
図６に示すのように、サステインパルスの上昇時間によって、放電軌跡が変わることができる。すなわち、図６の下段左側に示すように、サステイン期間においてスキャン電極（Ｙ）とサステイン電極（Ｚ）に交番されるようにサステインパルスが印加されて、スキャン電極（Ｙ）とサステイン電極（Ｚ）との間で面放電が発生する時、Ｖ／ｔが小くなるほど、すなわち上昇時間（ｔ）が大きくなるほどスキャン電極（Ｙ）またはサステイン電極（Ｚ）中一つの電極とアドレス電極（Ｘ）の間で発生する対向放電の発生は小くなる。一方に、Ｖ／ｔが大きくなるほど、すなわち上昇時間（ｔ）が小くなるほどスキャン電極（Ｙ）またはサステイン電極（Ｚ）中一つの電極とアドレス電極（Ｘ）との間で発生する対向放電の発生が大きくなる。このように上昇時間（ｔ）が小くなるほど大きくなる対向放電は、側壁蛍光体に比べて下部蛍光体の劣化を促進させる。
【００４９】
図７は、サステインパルスの上昇時間と対向放電との関係を図式的に示すものである。図7の上部と下部に示すのように、上昇時間が６００ｎｓであるサステインパルスによる放電が、上昇時間が３２０ｎｓであるサステインパルスによる放電に比べて放電の面積が広いということが分かる。すなわち、上昇時間が小さい場合放電面積の減る理由は面放電過程で対向放電が起きるからである。
【００５０】
図６と図と７を通じて説明したように、サステインパルスの上昇時間が減少すれば対向放電が起きるので、初期エイジングによる側壁蛍光体と下部蛍光体との劣化程度の差を解決することができる。
【００５１】
一方、明残像が起きることはＡＰＬ値が小さくて輝度の大きい映像が、ＡＰＬ値が大きく輝度の小さい映像が表示される時に発生する。したがって、本発明はＡＰＬ値によってサステインパルスの上昇時間を調節して側壁蛍光体と下部蛍光体の劣化程度の差を減らすことで明残像をとり除く。
【００５２】
図８は、本発明によるプラズマディスプレイ装置の駆動方法を説明するための図面である。
【００５３】
図８に示すのように、本発明のプラズマディスプレイ装置は、全体ＡＰＬ値を８個の区間で分けてＡＰＬ値によってサステインパルスの上昇時間を調節する。この時、区間１から区間８に行くほどＡＰＬ値は減少する。したがって、区間１は最大のＡＰＬ値の領域で、区間８は最小のＡＰＬ値の領域である。本発明によるプラズマディスプレイ装置は、表示される面積が小さくてＡＰＬ値が小さい区間では、サステインパルスの上昇時間を増加させて、表示される面積が大きくてＡＰＬ値が大きい区間では、サステインパルスの上昇時間を減少させる。したがって、ＡＰＬ値が最小で割り当てされるサステインパルスの個数が最大であるピークホワイト(ｐｅａｋ ｗｈｉｔｅ)の輝度を持ったウィンドウパターンが表示される時、本発明のプラズマディスプレイ装置は、サステインパルスの上昇時間を増加させて面放電の時対向放電が不十分に起きるようにする。またＡＰＬ値が最大で割り当てされるサステインパルスの個数が最小であるフルホワイト（ｆｕｌｌ ｗｈｉｔｅ）の輝度を持ったウィンドウパターンが表示される時、本発明のプラズマディスプレイ装置は、サステインパルスの上昇時間を減少させて面放電の時に対向放電が相対的に大きく起きるようにする。
【００５４】
これによって、ピークホワイトのウィンドウパターンが表示された後にフルホワイトのウィンドウパターンが表示される時、ピークホワイトのウィンドウパターンの残像が表示される明残像が減る。すなわち、ピークホワイトのウィンドウパターンが表示される時、蛍光体は最大発光をするようになって、フルホワイトのウィンドウパターンが表示される時、蛍光体は最小発光をするようになる。側壁蛍光体が下部蛍光体に比べて初期エイジングによる劣化量が大きいから、側面蛍光体の復帰時間が下部蛍光体の復帰時間より小さい。 したがって、側壁蛍光体が下部蛍光体に比べてさらに早く最小発光に到逹する。この時、本発明のプラズマディスプレイ装置は、フルホワイトのウィンドウパターンが表示される時、サステインパルスの上昇時間を減少させて面放電の時に対向放電が相対的に大きく起きるようにする。これによって、フルホワイトのウィンドウパターンが表示される時、下部蛍光体の劣化が側壁蛍光体の劣化より大きく起きる。 したがって、本発明のプラズマディスプレイ装置は、初期エイジングの時の劣化量差を相殺させる。
【００５５】
一方、ＡＰＬ値が大きければ映像が表示される面積は大きくサステインパルスの割り当て個数は小くなって、ＡＰＬ値が小さければ映像が表示される面積は小くなって、サステインパルスの割り当て個数は大きくなる。したがって、本発明のプラズマディスプレイ装置はＡＰＬ値が大きいほどサステインパルスの上昇時間を減少させる。 また、本発明のプラズマディスプレイ装置は表示面積が大きいほどサステインパルスの上昇時間を減少させる。 また本発明のプラズマディスプレイ装置はサステインパルスの割り当て個数が小さいほどサステインパルスの上昇時間を減少させる。
【００５６】
表１は本発明によるプラズマディスプレイ装置の動作によって、ＡＰＬ値が８区間の場合に各区間での上昇時間を示す。
(表 1)
2006113585.tif 000003
【００５７】
表１に示すように、上昇時間の範囲を２００ｎｓ以上８００ｎｓ以下にして、ＡＰＬ値の各区間に対する上昇時間はプラズマディスプレイパネルの特性、上昇時間の可変能力範囲及びＡＰＬ値の区間個数によって変わることができる。
【００５８】
図９は、サブフィールドによる本発明のプラズマディスプレイ装置の動作を示す。
【００５９】
図９に示すのように、本発明のプラズマディスプレイ装置は、一つのフレームを構成する複数個のサブフィールドの中で少なくとも一つ以上のサブフィールドのサステイン期間に供給されるサステインパルスの上昇時間を、残りサブフィールドのサステイン期間に供給されるサステインパルスの上昇時間より大きくする。この時、上昇時間が大きいサステインパルスが供給されるサブフィールドは、相対的に大きい加重値を持ったサブフィールドであることが望ましい。さらに、上昇時間が大きいサステインパルスが供給されるサブフィールドは、最大の加重値を持ったサブフィールドであることがさらに望ましい。
【００６０】
このように加重値が大きいサブフィールドで供給されるサステインパルスの上昇時間が大きくなる場合、対向放電が他のサブフィールドに比べてより不十分に発生するので、より效果的に明残像を減らすことができる。
【００６１】
図１０は、本発明によるプラズマディスプレイ装置のブロック構成図である。
【００６２】
図１０に示すのように、本発明のプラズマディスプレイ装置は、サブフィールドマッピング部１０１、ロード計算部１０３、上昇時間調節部１０５及び電極駆動部１０７を含む。
【００６３】
サブフィールドマッピング部１０１は、映像信号の入力を受けて、階調に対応してサブフィールドをマッピングする。
【００６４】
ロード計算部１０３は、映像信号の入力を受けて、ＡＰＬ値及び／又は表示面積を計算して、サブフィールドマッピング部１０１からのマッピングされたサブフィールドに対する情報と、ＡＰＬ値（又は表面積）とを利用して、各サブフィールドのサステインパルスの個数を割り当てる。ロード計算部１０３は、ＡＰＬ値（又は表面積）が小さければサブフィールドに割り当てられるサステインパルスの個数を増加させて、ＡＰＬ値（又は表面積）が大きければサブフィールドに割り当てられるサステインパルスの個数を減少させる。この時、ロード計算部１０３は、全体表示可能なセルの個数に対する各セルの階調の合計の比を計算して、ＡＰＬ値を計算する。また、ロード計算部１０３は、アドレス期間に選択されるセルの個数を通じて表示面積を計算する。
【００６５】
上昇時間調節部１０５は、ロード計算部１０３からＡＰＬ値及び／又は表示面積、並びに、割り当てられたサステインパルスの個数の入力を受け付ける。上昇時間調節部１０５は、ＡＰＬ値、表示面積及び割り当てされたサステインパルスの個数の中で少なくとも一つによってサステインパルスの上昇時間を決める。上昇時間調節部１０５は、決まった上昇時間を持ったサステインパルスを、割り当てられた個数で供給するためのパルス印加信号を出力する。
【００６６】
この時、上昇時間調節部１０５は、ＡＰＬ値が小さいほどサステインパルスの上昇時間を増加させて、表示面積が小さいほどサステインパルスの上昇時間を増加させて、割り当てられたサステインパルスの個数が大きいほどサステインパルスの上昇期間を増加させる。また、上昇時間調節部１０５は、ＡＰＬ値が大きいほどサステインパルスの上昇時間を減少させ、表示面積が大きいほどサステインパルスの上昇時間を減少させ、割り当てされたサステインパルスの個数が小さいほどサステインパルスの上昇期間を減少させる。
【００６７】
電極駆動部１０７は、上昇時間調節部１０５から入力されたパルス印加信号の入力を受けて決まった上昇時間によって形成されたサステインパルスを電極に印加する。
【００６８】
このような本発明のプラズマディスプレイ装置は、一つのフレームを構成する複数個のサブフィールドの中で少なくとも一つ以上のサブフィールドのサステイン期間に供給されるサステインパルスの上昇時間を、残りサブフィールドのサステイン期間に供給されるサステインパルスの上昇時間より大きくする。この時、上昇時間が大きいサステインパルスが供給されるサブフィールドは相対的に大きい加重値を持ったサブフィールドであることが望ましい。また、上昇時間が大きいサステインパルスが供給されるサブフィールドは最大の加重値を持ったサブフィールドであることがさらに望ましい。
【００６９】
すなわち、本発明のサブフィールドマッピング部１０１は映像信号の入力を受けて、サブフィールドをグレーレベル（階調）にマッピングする。
【００７０】
ロード計算部１０３は、サブフィールドマッピング部１０１からのマッピングされたサブフィールドに対する情報の入力を受けて、各サブフィールドのサステインパルスの個数を割り当てる。
【００７１】
上昇時間調節部１０５は、各サブフィールドに割り当てられたサステインパルスの個数によって、複数個のサブフィールド中の一つ以上のサブフィールドに割り当てされたサステインパルスの上昇時間を調節して、調節された上昇時間を持ったサステインパルスを割り当てられた個数供給するためのパルス印加信号を出力する。
【００７２】
電極駆動部１０７は、上昇時間調節部１０５から入力されたパルス印加信号の入力を受けて、決まった上昇時間によって形成されたサステインパルスを電極に印加する。
【００７３】
この時、上昇時間調節部１０５は、加重値が大きいサブフィールドに割り当てされたサステインパルスの上昇時間を大きくする。すなわち、本発明のプラズマディスプレイ装置は、サステインパルスの個数が多い時サステインパルスの上昇時間を大きくするので加重値が大きいサブフィールドに割り当てられたサステインパルスの上昇時間を大きくする。
【００７４】
次に本発明によるプラズマディスプレイ装置の動作を詳しく説明する。
【００７５】
図１１は、本発明によるプラズマディスプレイ装置の駆動方法の手順図である。
【００７６】
先ず、サブフィールドマッピング部１０３は、映像信号の入力を受けてサブフィールドを階調にマッピングする(Ｓ１１０)。すなわち、サブフィールドマッピング部１０３は、映像信号にあたる階調を一つのフレームを構成する複数個のサブフィールドを組み合わせて各階調をサブフィールドにマッピングする。
【００７７】
次に、ロード計算部１０１は映像信号の入力を受けて、映像信号のロードを計算する(Ｓ１２０)。この時、ロードは、映像信号のＡＰＬ値、映像信号による表示面積及び割り当てされるサステインパルスの個数の中で少なくとも一つである。すなわち、ロード計算部１０３は、映像信号の入力を受けて、ＡＰＬ値または表示面積を計算して、サブフィールドマッピング部１０１からのマッピングされたサブフィールドに対する情報と、ＡＰＬ値又は表示面積を利用して、各サブフィールドのサステインパルスの個数を割り当てす。
【００７８】
上昇時間調節部１０７は、ロード計算部１０１から入力を受けたロードによってサステインパルスの上昇時間を決めて、決まった上昇時間を持ったサステインパルスを前記サステインパルス割り当て部１０５によって割り当てされた個数で供給するためのパルス印加信号を出力する(Ｓ１３０)。
【００７９】
この時、上昇時間調節部１０５はＡＰＬ値が小さいほどサステインパルスの上昇時間を増加させて、表示面積が小さいほどサステインパルスの上昇時間を増加させて、割り当てされたサステインパルスの個数が小さいほどサステインパルスの上昇期間を減少させる。
【００８０】
好ましくは、上昇時間調節部１０７は、加重値が大きいサブフィールドに割り当てられたサステインパルスの上昇時間を大きくする。望ましくは、加重値が最大のサブフィールドに割り当てされたサステインパルスの上昇時間を大きくする。
【００８１】
次に、電極駆動部１０９は、上昇時間調節部１０７から入力されたパルス印加信号の入力を受けて、決まった上昇時間によって形成されたサステインパルスを電極に印加する(Ｓ１４０)。
【図面の簡単な説明】
【００８２】
【図１】従来プラズマディスプレイパネルの構造を概略的に示す斜視図。
【図２】従来プラズマディスプレイ装置の画像階調表わし方を示す図。
【図３】従来プラズマディスプレイ装置の駆動方法を示す図。
【図４】従来プラズマディスプレイパネルで発生される局所残像の発生を説明するための図。
【図５】サステインパルスのＥＲ（Ｅｎｅｒｇｙ Ｒｅｃｏｖｅｒｙ）−ｕｐタイムを説明するための図。
【図６】サステインパルスの上昇時間と蛍光体の劣化位を説明するため図。
【図７】サステインパルスの上昇時間と対向放電の関係を図式的に示す図。
【図８】本発明によるプラズマディスプレイ装置の駆動方法を説明するための図 。
【図９】サブフィールドによる本発明のプラズマディスプレイ装置の動作を示す図。
【図１０】本発明によるプラズマディスプレイ装置のブロック構成図。
【図１１】本発明によるプラズマディスプレイ装置の駆動方法の手順図である。
【符号の説明】
【００８３】
１０１  サブフィールドマッピング部
１０３  ロード計算部
１０５  上昇時間調節部
１０７  電極駆動部
【図１】
2006113585.tif 000004
【図２】
2006113585.tif 000005
【図３】
2006113585.tif 000006
【図４】
2006113585.tif 000007
【図５】
2006113585.tif 000008
【図６】
2006113585.tif 000009
【図７】
2006113585.tif 000010
【図８】
2006113585.tif 000011
【図９】
2006113585.tif 000012
【図１０】
2006113585.tif 000013
【図１１】
2006113585.tif 000014